(57)【特許請求の範囲】
【請求項１】
炭酸ガス濃度４０％以上を７日間以上維持できる柔軟性材料の内袋を高強度の外袋内に収納し、この内袋内に穀物を充填した後で、この内袋内に炭酸ガスを充満させて閉止し、害虫を殺虫した状態で穀物を貯蔵する穀物殺虫貯蔵方法。
【請求項２】
炭酸ガス透過量が６３００cc／ｍ2 ・24hr・１atm 以下の柔軟性材料の内袋を高強度の外袋内に収納し、この内袋内に穀物を充填した後で、この内袋内に炭酸ガスを充満させて閉止し、害虫を殺虫した状態で穀物を貯蔵する穀物殺虫貯蔵方法。
【請求項３】
柔軟性材料製で、充満した炭酸ガスの濃度４０％以上を７日間以上維持できる穀物充填用の内袋と、
この内袋を収容する高強度の外袋と、
を有することを特徴とする穀物貯蔵容器。
【請求項４】
炭酸ガス透過量が６３００cc／ｍ2 ・24hr・１atm 以下の柔軟性材料で製作され、穀物が充填された後に炭酸ガスが充満されて閉止される内袋と、
この内袋を収納する高強度の外袋と、
を有することを特徴とする穀物貯蔵容器。
【発明の詳細な説明】
【０００１】
【発明の属する技術分野】
本発明は、玄米、精米等の穀物を長期間に渡って害虫の死滅状態で保存する穀物殺虫貯蔵方法及び穀物貯蔵容器に関する。
【０００２】
【従来の技術】
玄米等の穀物を長期間保存する為の各種の方法及び装置が提案されている。
【０００３】
特開昭４８−２６５１６号に開示された米穀の長期貯蔵用の包装方法は、袋内に米穀を入れて袋内の空気を炭酸ガスで置換し、見掛比重０．８〜０．９になる割合の炭酸ガスを袋内に残して密封し、米穀の含水率と炭酸ガスの含水率を平衡にして低い含水率になるまで米穀を乾燥する手段が提案されている。ところがこの貯蔵手段は、米穀の含水率に主眼をおいているのみであって、米穀内に含まれる穀象虫（コクゾウムシ）の殺虫作用についてはなんら考慮がなされていないので、袋体を通して炭酸ガスが逸散し炭酸ガス濃度の低下に伴い穀象虫の発生原因となる。
【０００４】
また特開昭４９−１１６２４６号は不活性ガス雰囲気中における穀類などの貯蔵法が開示されており、不活性ガス雰囲気としたサイロ内に穀類を充填し、貯槽内の圧力、温度、湿度を自動調節することによって長期間の保存を提案している。ところがこの発明においては剛構造のサイロを必要とし、しかもこのサイロを気密に製作する必要があるため運搬は不可能であり、完全密閉の大型設備を必要とし、その製作費も高価なものとなる。
【０００５】
特開平１−２７９８１２号には貯蔵玄米害虫の殺虫法が開示されている。この発明では、気化炭酸ガス濃度５０％以上の雰囲気になるようにして玄米害虫を殺虫することが開示されているが、その殺虫装置は、剛構造である大型のサイロを前提としており、これに充填する炭酸ガス濃度が極めて多量であることから、その使用炭酸ガス量の減量手段も併せて開示されている。
【０００６】
【発明が解決しようとする課題】
本発明は上記事実を考慮し、大型の剛構造設備を要することなく、運搬に便利で必要最小限の炭酸ガス使用量で、効果的に殺虫、防黴効果を有して長期間の備蓄に適した穀物殺虫貯蔵方法及び穀物貯蔵容器を得ることを目的としている。
【０００７】
【課題を解決するための手段】
本出願の請求項１に係る発明は、炭酸ガス濃度４０％以上を７日間以上維持できる柔軟性材料の内袋を高強度の外袋内に収納し、この内袋内に穀物を充填した後で、この内袋内に炭酸ガスを充満させて閉止し、害虫を殺虫した状態で穀物を貯蔵することを特徴とする。
【０００８】
本出願の請求項２に係る発明は、炭酸ガス透過量が６３００cc／ｍ2 ・24hr・１atm 以下の柔軟性材料の内袋を高強度の外袋内に収納し、この内袋内に穀物を充填した後で、この内袋内に炭酸ガスを充満させて閉止し、害虫を殺虫した状態で穀物を貯蔵することを特徴とする。
【０００９】
本出願の請求項３に係る発明は、柔軟性材料製で、充満した炭酸ガスの濃度４０％以上を７日間以上維持できる穀物充填用の内袋と、この内袋を収容する高強度の外袋と、を有することを特徴とする。
【００１０】
本出願の請求項４に係る発明は、炭酸ガス透過量が６３００cc／ｍ2 ・24hr・１atm 以下の柔軟性材料で製作され、穀物が充填された後に炭酸ガスが充満されて閉止される内袋と、この内袋を収納する高強度の外袋と、を有することを特徴とする。
【００１３】
これによって本発明では穀物貯蔵時に空気遮断雰囲気を維持し酸欠状態によって穀象虫等の殺虫効果を有し、長期間の穀物保存を可能とする。
【００１４】
本発明は特に最大１トンまでの穀物、すなわち１２００〜１３００リットルまでの穀物を貯蔵する場合に、ＣＯ２  濃度４０％を７日間維持することができ、空気遮断雰囲気を維持し酸欠状態によって確実に穀象虫等の殺虫効果を有し、長期間の穀物保存を可能とする。
【００１５】
本発明において内袋への穀物充填は、外袋内へ内袋を収容した後にこの内袋内へ穀物を充填する場合のほかに、穀物を充填した後の内袋を外袋内へ収容するようにしてもよい。内袋は穀物充填後に密閉して気密状態とするが、この密閉はヒートシールによる熱融着のほかに接着剤や挟持クランプ等の各種の密閉手段が適用できる。この密閉部分においても内袋の他の部分と同等以下のＣＯ２  透過量を備えるようにする。
【００１６】
【発明の実施の形態】
図１〜図２には穀物貯蔵用の内体である内袋１０が示され、図３〜図７にはこの内袋１０が外体である外袋１２の中へ収容されると共に、内袋１０へ玄米１４が充填される状態が示されている。
【００１７】
図１に示される如く内袋１０は一体成形され折り畳まれた状態で保存されており、図２に示される如くこの内袋１０が展開膨張された状態では、中央部に筒部１０Ａが形成され、この筒部の上下に同軸上に注入スパウトとしての小筒部１０Ｂ、排出スパウトとしての小筒部１０Ｃがそれぞれ縮経部１０Ｄを介して接続された構成となっている。
【００１８】
この内袋１０はインフレーションフィルム等の柔軟材料で製作され、これらの材料はＣＯ２  透過量が６３００ｃｃ／ｍ２  ・２４ｈｒ・１ａｔｍ  以下であり、内部に充填されたＣＯ２  濃度が７日間に渡って４０％以上を維持するようになっている。これによって内部に充填される穀物に付着した害虫、特に穀象虫の卵、幼虫、成虫、さなぎが酸欠状態によって死滅する環境を付与できるようになっている。
【００１９】
一例としてこの内袋１０はその玄米の充填量が１トン（容積１２００〜１３００リットル）とされ、縦×横×高さ寸法が９００×９００×１３００ｍｍ以上とされる。
【００２０】
図３〜図５に示される外袋１２は高強度の材料で製作され、合成繊維（一例としてＰＰ製フラットヤーンを用いた平織布）をミシン縫製して矩形箱状に形成し、これらの材料は外部からの突起による破損、吊り下げた場合の引張力、せん断力、複数段にわたって積み重ねた場合の圧縮力に耐える強さを有しているものが好ましい。この外袋１２の内容積（特に水平断面積及び高さ）は内袋筒部１０Ａの体積（特に水平断面積及び高さ）よりも若干小さく、これによって内袋１０へ玄米が充填された場合に内袋１０は外袋１２の内壁によってその横広がり荷重が支持されるようになっている。
【００２１】
この外袋１２は図４に示される如く頂部１２Ａの中央部に形成された開口へ筒状部２２が連通されている。この筒状部２２は下端外周が頂部１２Ａの下面へ気密的に接着され、さらに必要に応じて頂部１２Ａへ縫着されている。筒状部２２の中間部外周には引締紐２６が掛止片２８によって保持されている。従って引締紐２６を筒状部２２の外周へ取り回して両端部を引っ張った後に互いに結べば、立設片１２Ｂ及び筒状部２２を絞って縮経閉止できる。
【００２２】
頂部１２Ａの開口周縁から一体的に立ち上げられた複数の立設片１２Ｂの先端は折り返されて縫着され、これらの折り返し部に引締紐２４の中間部がそれぞれ挿通されている。このため引締紐２４も引締紐２６と同様に筒状部２２を周回しており、両端部を引っ張った後に互いに結べば頂部開口を縮径閉止できる。この場合には既に引締紐２６で閉止した筒状部２２は頂部開口を通して外袋１２の内部へ押し込んでおくことにより、筒状部２２が頂部から上方へ突出することはない。また、立設片１２Ｂには、外袋１２と同様の材料で製作した円形の蓋板１２Ｃの外周部付近の一部が取り付けられており、頂部開口から外袋の内部へ押し込んだ筒状部２２の上へ複数の立設片１２Ｂの間を通してこの蓋板１２Ｃを覆い被せた後に引締紐２４を引き締めることにより、引締紐２４で縮径閉止した頂部開口の内側にこの蓋板１２Ｃが配置され、外部から内側の内袋１０を遮蔽する。
【００２３】
なお、外袋１２の底部も頂部１２Ａと同様に、立設片１２Ｂ、筒状部２２、引締紐２４、２６などが設けられて外袋１２の上下が同様構造となっている。
【００２４】
また外袋１２の外部には適宜箇所に掛止部材である吊下帯３２の両端部が縫い込まれており、これらの吊下体３２を用いてホイスト、クレーン等の吊り上げ手段に設けられるフック等の掛止具で持ち上げて運搬、設置できるようなっている。掛止部材としては吊下帯３２のほかにも外袋１２の一部に開口を形成してフック等の掛止部とすることができる。
【００２５】
次にこの内袋１０、外袋１２により玄米を貯蔵する方法について説明する。
内袋１０は図１（Ｂ）に示される如く、小筒部１０Ｃへあらかじめヒートシール３６を施して下端部を閉止させる。このヒートシールは、熱板やインパルスシール等によって小筒部１０Ｃを加熱し、材料の熱融着で小筒部１０Ｂを閉止させる。
【００２６】
その後にこの内袋１０を、予め底部が引締紐２４、２６で閉止された外袋１２の頂部筒状部２２を介して挿入し、内部へ空気を充填すると図３に示される如く内袋１０は外袋１２内で膨張する。ヒートシール後の小筒部１０Ｃと縮径部１０Ｄは平らに畳んで外袋１２の底面へ平面状に沿わせる。この状態で図４に示される如く、小筒部１０Ｂを通して内袋１０の内部へ玄米を充填する。
【００２７】
ここで図５に示される如く、小筒部１０Ｂを通して鉄、銅等の金属、合成樹脂等で製作された外径１０ｍｍ程度の剛性案内管３８を玄米１４内へ挿入する。この剛性案内管３８はその下端部３８Ａを内袋１０の底部付近へ挿入してＣＯ２  が内部空気を排除しやすいようにすることが好ましい。この下端部３８Ａには玄米１４が入り込まないようにするためのメッシュ等の多孔閉止部材を設けてもよい。この剛性案内管３８には流量計４２、気化器４４を介してＣＯ２  ボンベ４６が連通しており、ＣＯ２  ボンベ４６からの液化二酸化炭素が気化器４４を介して気体二酸化炭素となり、内袋１０内へと充填される。二酸化炭素は空気より比重が大きいので、内袋１０内に残存している空気を小筒部１０Ｂから排除しつつ内袋１０内の玄米粒間へ二酸化炭素を充満させる。内袋１０の小筒部１０ＢにはＣＯ２  センサー４８を配置することによって、内袋１０内へ二酸化炭素が充満した状態を検出することができる。内袋１０内へ供給するＣＯ２  は必ずしも１００％濃度でなくてもよい。
【００２８】
従って、ＣＯ２  センサー４８で内袋１０内へ充満して上昇したＣＯ２  が検出できた場合には、剛性案内管３８からのＣＯ２  供給を停止し、剛性案内管３８を玄米１４から抜き出すと共に図６のように内袋１０の小筒部１０Ｂをヒートシール５２にて閉止する。一例として内袋内の玄米の重量が１５０ｋｇの場合、剛性案内管３８からのＣＯ２  供給は１５ｌ／ｍｉｎ  とすると、７分間でＣＯ２  を充満できる。その後にこの小筒部１０Ｂを筒状部２２を通して外袋１２内へ押し込み、外袋１２はその引締紐２６によって筒状部２２を閉止すると共にこの筒状部２２も外袋１２内へ押し込み、蓋板１２Ｃを被せ更に引締紐２４を締め込むこみとによって玄米１４の収納が完了する。玄米収納が完了した外袋１２は吊下帯３２を利用して倉庫内の適宜位置に積み重ねて保存することができる。
【００２９】
また、玄米１４の取出しは、吊下帯３２を保持して外袋１２を内袋１０と共に持ち上げ、外袋１２の底部の引締紐２６、２４を解いて筒状部２２を開放すると共に、内袋１０の小筒部１０Ｃをヒートシール部よりも矩形筒部１０Ａ寄り部分で切断すれば、玄米１４はその自重で、小筒部１０Ｃ、外袋１２の底部の筒状部２２を通して排出される。
【００３０】
この様に内袋１０のＣＯ２  透過量を６３００ｃｃ／ｍ２  ・２４ｈｒ・１ａｔｍ  以下としたので、玄米１４の充填量が１トン以下の場合は、この玄米粒間に充満できる炭酸ガス量は約７５０リットルであり、７日間に渡って内部を４０％以上の炭酸ガス濃度雰囲気を維持できる。このため玄米１４に入りこんでいる穀象虫等の害虫が酸欠状態で死滅する条件を維持でき、その後は長期間に渡って保存が可能となる。
【００３１】
表１には、各種のＣＯ２  透過量を有する内袋を用いた実施例と比較例の貯蔵結果が示されている。実施例１は直鎖状低密度ポリエチレン（ＬＬＤＰＥ）製フイルムを内袋とし、外袋は太さ１５００デニール（Ｄ）のポリプロピレン（ＰＰ）製フラットヤーンを経緯それぞれ１インチ当たり１５本織った平織織布を用いた。実施例２、３、比較例２の外袋は実施例１の場合と同様であり、実施例２の内袋は５層構造であり、中間層が厚さ１０μｍのエチレン／ポリビニルアルコール（ＥＶＯＨ）  とされ、その両側に厚さ５μｍの接着剤（ＡＤ）を介して厚さ３０μｍの直鎖状低密度ポリエチレン（ＬＬＤＰＥ）が配置される共押出インフレーション成形で製作されている。実施例３の内袋は３層構造であり、中間層が厚さ１０μｍのアルミニウム（ＡＬ）膜で、その片側に厚さ２５μｍのポリエステル（Ｅ）  が、他の片側に厚さ５０μｍの低密度ポリエチレン（ＬＤ）が配置された積層フィルムとされている。これらの外袋は縦×横×高さ寸法が、４５０×４５０×７５０ｍｍとされ、内袋は４８０×４８０×８００ｍｍとされ、実施例及び比較例ではカリフォルニア米１１０ｋｇが充填され、炭酸ガスを毎分１５リットルの割合で７分間充満させて開口部をヒートシールした。なお、ＣＯ２  透過量はＪＩＳ，Ｋ７１２６の気体透過度試験方法による。
【００３２】
実施例１〜３はいずれも炭酸ガス濃度４０％を７日間維持する条件を満足しており、炭酸ガス充満時に内袋中に入れておいた穀象虫（成虫、幼虫、サナギ、卵の４生態）はすべて死滅し、その後は６０日以上の間に渡って穀象虫の発生は見られなかった。比較例１では内袋がなく、外袋は炭酸ガス遮蔽効果がないので穀象虫（４生態）を死滅させることができず大量発生した。比較例３は炭酸ガス遮蔽効果が不十分なため、完全に死滅させることができなかった。また、実施例２、３では炭酸ガス濃度４０％を６０日間維持することによりこの間に黴等の繁殖がなく、防菌、防黴効果も維持されていた。図７に示されるように炭酸ガス透過量が６３００ｃｃ／ｍ２  ・２４ｈｒ・１ａｔｍ  を越えるフィルムでは炭酸ガス濃度が４０％以上、７日間の環境を維持できないので、炭酸ガス透過量が６３００ｃｃ／ｍ２  ・２４ｈｒ・１ａｔｍ  以下のフィルムを用いて玄米を保存することにより、殺虫状態で玄米の長期間保存が可能となる。
【００３３】
なお、上記の発明における内袋１０の材質は上記の他にも、ポリビニリデンクロライド（ＰＶＤＣ）製や、ポリエチレン層を内側とし、これと一体的に外側にアルミ蒸着膜を有したものとしてもよく、その他、前記の二酸化炭素透過量を有する材質であれば各種の材料が適用可能である。
【００３４】
また上記実施例１のような単層の内袋を複数枚重ねたり、実施例２のような多層の内袋を複数枚重ねたりして内袋としてもよく、さらには単層と多層を複数枚重ねて内袋としてもよい。これらの場合にこれらの一部を部分的に熱融着などで密着させてもよい。
【００３５】
【表１】
0003615289.tif 000002
【００３６】
【表２】
0003615289.tif 000003
【００３７】
【発明の効果】
本発明は上記の構成としたので、玄米、精米、小麦等の穀物や他の穀物を長期間に渡って害虫発生のない状態で保存することができ、持ち上げて運搬、設置できるので輸送効率を向上できる効果を有する。
【図面の簡単な説明】
【図１】（Ａ）は内袋の収納状態を示す斜視図である。（Ｂ）は内袋の収納状態を示す正面図である。
【図２】内袋の膨張状態を示す斜視図である。
【図３】外袋内へ内袋を配置して膨張した状態を示す断面図である。
【図４】（Ａ）は膨張した内袋内へ玄米を充填した状態を示す断面図である。（Ｂ）は図４（Ａ）の斜視図である。
【図５】玄米内へ剛性案内管を挿入して二酸化炭素を充填する状態を示した断面図である。
【図６】内袋にヒートシールを施した状態を示す断面図である。
【図７】実施例及び比較例における内袋炭酸ガス透過量と７日間経過後の炭酸ガス濃度の関係を示す線図である。
【符号の説明】
１０  内袋
１２  外袋
１４  玄米
２２  筒状部
【図１】
0003615289.tif 000004
【図２】
0003615289.tif 000005
【図３】
0003615289.tif 000006
【図４】
0003615289.tif 000007
【図５】
0003615289.tif 000008
【図６】
0003615289.tif 000009
【図７】
0003615289.tif 000010